(57)【要約】【課題】現在の時間帯で沸き上げた分のエネルギーが次の時間帯において無駄になることを抑制する。【解決手段】タンク内の湯水を沸き上げる貯湯式温水器であって、所定期間における複数の時間帯のそれぞれに沸き上げ温度を設定する制御部を備え、前記制御部は、前記所定期間における任意の時間帯において、前記タンク内の湯水の温度が当該時間帯の次の時間帯における沸き上げ温度に応じた値になるように前記湯水を沸き上げる。【選択図】図２
2019015417.tif 000002
【特許請求の範囲】
【請求項１】
タンク内の湯水を沸き上げる貯湯式温水器であって、
所定期間における複数の時間帯のそれぞれに沸き上げ温度を設定する制御部を備え、
前記制御部は、前記所定期間における任意の時間帯において、前記タンク内の湯水の温度が当該時間帯の次の時間帯における沸き上げ温度に応じた値になるように前記湯水を沸き上げることを特徴とする、貯湯式温水器。
【請求項２】
前記制御部は、前記所定期間における任意の時間帯において、前記タンク内の湯水が当該時間帯の次の時間帯における沸き上げ温度になるように前記湯水を沸き上げる請求項１に記載の貯湯式温水器。
【請求項３】
前記任意の時間帯とは、前記複数の時間帯のうち、沸き上げ温度が次の時間帯の沸き上げ温度よりも高い時間帯である請求項１に記載の貯湯式温水器。
【請求項４】
前記制御部は、前記複数の時間帯の各沸き上げ温度を、過去に使用した湯量に基づいて設定する、請求項１〜３のいずれか一項に記載の貯湯式温水器。
【請求項５】
前記制御部は、前記任意の時間帯において、前記タンク内の湯水を当該時間帯の沸き上げ温度で一旦沸き上げてから当該時間帯の次の時間帯における沸き上げ温度に保つように前記湯水を沸き上げる、請求項１〜４のいずれか一項に記載の貯湯式温水器。
【請求項６】
前記制御部は、ユーザによる前記タンク内の湯水の使用が想定されるタイミングにて加熱消毒された湯水を給湯し得るように事前に前記タンク内の湯水の加熱消毒を開始する、請求項１〜５のいずれか一項に記載の貯湯式温水器。
【請求項７】
前記制御部は、給湯可能な前記タンク内の湯水の量に関する情報を報知する、請求項１〜６のいずれか一項に記載の貯湯式温水器。
【発明の詳細な説明】
【技術分野】
【０００１】
本発明は、貯湯式温水器に関する。
【背景技術】
【０００２】
下記特許文献１には、時間帯ごと(例えば、１時間ごと)にタンク内の水を沸き上げる沸き上げ運転を実行する貯湯式給湯器が開示されている。この沸き上げ運転の沸き上げ温度は、各時間帯ごとに設定されており、例えば、過去にその時間帯に使用された湯量に基づいて決定される。
【先行技術文献】
【特許文献】
【０００３】
【特許文献１】特開２００７−２１８５１９号公報
【発明の概要】
【発明が解決しようとする課題】
【０００４】
ところで、上述の貯湯式温水器の沸き上げ運転では、タンク内の湯水が常に沸き上げ温度になるように温度制御している。そのため、現在の時間帯での沸き上げ温度よりも次の時間帯での沸き上げ温度が低い場合には、現在の時間帯で沸き上げた分のエネルギーが無駄になる場合がある。
【０００５】
本発明は、このような事情に鑑みてなされたもので、その目的は、現在の時間帯で沸き上げた分のエネルギーが次の時間帯において無駄になることを抑制する貯湯式温水器を提供することである。
【課題を解決するための手段】
【０００６】
本発明の一態様は、タンク内の湯水を沸き上げる貯湯式温水器であって、所定期間における複数の時間帯のそれぞれに沸き上げ温度を設定する制御部を備え、前記制御部は、前記所定期間における任意の時間帯において、前記タンク内の湯水の温度が当該時間帯の次の時間帯における沸き上げ温度に応じた値になるように前記湯水を沸き上げることを特徴とする、貯湯式温水器である。
【０００７】
本発明の一態様は、上述の貯湯式温水器であって、前記制御部は、前記所定期間における任意の時間帯において、前記タンク内の湯水が当該時間帯の次の時間帯における沸き上げ温度になるように前記湯水を沸き上げる。
【０００８】
本発明の一態様は、上述の貯湯式温水器であって、前記任意の時間帯とは、前記複数の時間帯のうち、沸き上げ温度が次の時間帯の沸き上げ温度よりも高い時間帯である。
【０００９】
本発明の一態様は、上述の貯湯式温水器であって、前記制御部は、前記複数の時間帯の各沸き上げ温度を、過去に使用した湯量に基づいて設定する。
【００１０】
本発明の一態様は、上述の貯湯式温水器であって、前記制御部は、前記任意の時間帯において、前記タンク内の湯水を当該時間帯の沸き上げ温度で一旦沸き上げてから当該時間帯の次の時間帯における沸き上げ温度に保つように前記湯水を沸き上げる。
【００１１】
本発明の一態様は、上述の貯湯式温水器であって、前記制御部は、ユーザによる前記タンク内の湯水の使用が想定されるタイミングにて加熱消毒された湯水を給湯し得るように事前に前記タンク内の湯水の加熱消毒を開始する。
【００１２】
本発明の一態様は、上述の貯湯式温水器であって、前記制御部は、給湯可能な前記タンク内の湯水の量に関する情報を報知する。
【発明の効果】
【００１３】
以上説明したように、本発明によれば、現在の時間帯で沸き上げた分のエネルギーが次の時間帯において無駄になることを抑制することができる。
【図面の簡単な説明】
【００１４】
【図１】本発明の一実施形態に係る貯湯式温水器Ａの概略構成の一例を示す図である。
【図２】本発明の一実施形態に係る制御部１７の沸き上げ温度の設定方法を説明する図である。
【図３】本発明の一実施形態に係る沸き上げ温度の設定方法における作用効果を説明する第１の図である。
【図４】本発明の一実施形態に係る沸き上げ温度の設定方法における作用効果を説明する第２の図である。
【図５】本発明の一実施形態に係る沸き上げ温度の設定方法における作用効果を説明する第３の図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１６】
以下、本発明の一実施形態に係る貯湯式温水器を、図面を用いて説明する。
図１は、本発明の一実施形態に係る貯湯式温水器Ａの概略構成の一例を示す図である。
【００１７】
貯湯式温水器Ａは、給水管１、第１バイパス管２、給湯管３、混合弁４、第２バイパス管５、フィルタ６、逆止弁７、第１温度検出部８、第１電磁弁９、第２電磁弁１０、第２温度検出部１１、遮断弁１２、水抜き栓１３、タンク１４、ヒータ１５、第３温度検出部１６、及び制御部１７を備える。
【００１８】
給水管１は、タンク１４に接続されている。これにより、給水管１を流通した水は、タンク１４内に供給される。
【００１９】
第１バイパス管２は、給水管１の第１分岐部２０から分岐され、混合弁４に接続されている。具体的には、第１バイパス管２は、一端が給水管１の第１分岐部２０に連通され、他端が混合弁４に連通されている。
給湯管３は、一端がタンク１４の上部に連通され、他端が自動水栓１００に連通されている。
【００２０】
混合弁４は、給湯管３の途中に設けられる。混合弁４には、給水管１から分岐された第１バイパス管２が連通されている。これにより、混合弁４では、給水管１から供給される水と給湯管３から供給される高温の湯が混合される。また、混合弁４の内部には、図示しないサーモスタット等の自動温度調節器が設けられる。したがって、この自動温度調節器により、混合後の温水（混合水）は、ユーザ等の使用に適した所定温度（例えば３８℃〜４２℃）となるように、湯水の混合比率が制御される。
【００２１】
第２バイパス管５は、給水管１の第２分岐部２１から分岐され、混合弁４と自動水栓１００との間の給湯管３に接続される。具体的には、第２バイパス管５は、一端が給水管１の第２分岐部２１に連通され、他端が混合弁４と自動水栓１００との間の給湯管３に連通される。なお、第２分岐部２１は、第１分岐部２０よりも上流側に設けられている。
【００２２】
フィルタ６は、給水管１において、第２分岐部２１の上流側に設けられている。フィルタ６は、給水管１内を流通する水のゴミを除去する。
逆止弁７は、給水管１において、第２分岐部２１の上流側に設けられている。逆止弁７は、給水管１内を流通する水の逆流を防止する。
【００２３】
第１温度検出部８は、給水管１において、第２分岐部２１の上流側に設けられている。第１温度検出部８は、給水管１内を流通する水の温度を検出し、その検出結果を制御部１７に送信する。
【００２４】
第１電磁弁９は、第１分岐部２０と第２分岐部２１との間の給水管１に設けられており、その給水管１の経路を開放又は閉塞する。なお、第１電磁弁９の開度は、制御部１７によって制御される。
【００２５】
第２電磁弁１０は、第２バイパス管５に設けられており、その第２バイパス管５の経路を開放又は閉塞する。なお、第２電磁弁１０の開度は、制御部１７によって制御される。
【００２６】
第２温度検出部１１は、給湯管３における混合弁４の下流側に設けられている。この第２温度検出部１１は、混合弁４から自動水栓１００に供給される混合水の温度を検出し、その検出結果を制御部１７に送信する。
【００２７】
遮断弁１２は、タンク１４と混合弁４との間の給湯管３に設けられている。この遮断弁１２は、自然対流により、タンク１４内の熱湯が、タンク１４外に流出することを防止する。
【００２８】
水抜き栓１３は、給水管１の下流側に設けられている。この水抜き栓１３は、メンテナンス時などでタンク１４内の水を抜きたいときに、開弁させて水を抜く。
【００２９】
タンク１４は、例えば金属材料などにより中空状の缶体として構成され、給水管１から流入した水を貯留する。
【００３０】
ヒータ１５は、タンク１４の内に設けられている。このヒータ１５は、制御部１７の制御に基づいて、タンク１４内の水を所定の温度に加熱する。
【００３１】
第３温度検出部１６は、タンク１４に設けられ、タンク１４内の湯の温度を検出する。そして、第３温度検出部１６は、その検出結果を制御部１７に送信される。例えば、第３温度検出部１６は、ヒータ１５の近傍におけるタンク１４の表面に設けられた、例えば、サーミスタとして構成される。
【００３２】
制御部１７は、第１電磁弁９及び第２電磁弁１０のそれぞれを開状態又は閉状態に制御する。具体的には、貯湯式温水器Ａが通常の出湯運転中において、自動水栓１００の内部に設けられた検知センサが手などの物体を検知すると、その検知結果が制御部１７に送信される。したがって、制御部１７は、通常の出湯運転中において、上記検知センサが手などの物体を検知した場合には、第１電磁弁９を開弁状態に制御する。これにより、混合水が自動水栓１００から給水されるとともに、その給水された混合水に相当する量の水が給水管１を介してタンク１４に流入する。
【００３３】
制御部１７は、貯湯式温水器Ａが出湯運転中には第２電磁弁１０を常に閉弁状態に制御する。一方、制御部１７は、貯湯式温水器Ａが出湯運転中以外及び高温出湯検知時には、第２電磁弁１０を開弁状態に制御する。これにより、制御部１７は、停電時や混合弁４が故障した場合等に給湯管３を流通する高温の湯水に対して水を混合させることで、当該高温の湯水が自動水栓１００から給水されることを防止する。なお、制御部１７は、第２温度検出部１１からの検出信号に基づいて、給湯管３の湯水が高温であることを検知する（上記高温出湯検知）ことできる。
【００３４】
また、制御部１７は、ヒータ１５を駆動することでタンク１４内に貯留した湯を沸き上げ温度まで沸き上げる、いわゆる沸き上げ運転を実施する。この沸き上げ運転は、所定期間における複数の時間帯の各時間帯で実行される。例えば、制御部１７は、１日を複数の時間帯で区分し、その区分した時間帯ごとに沸き上げ運転を実行する。なお、この沸き上げ運転の沸き上げ温度は、各時間帯ごとに設定される。ここで、本発明の特徴の一つは、この沸き上げ温度の設定方法にある。
【００３５】
以下に、本実施形態に係る制御部１７の沸き上げ温度の設定方法を、図２を用いて説明する。制御部１７は、沸き上げ運転を実行する沸き上げ温度を設定するにあたり、第１のステップと、第２のステップとを行う。
【００３６】
第１のステップとは、各時間帯ごとの沸き上げ温度を学習機能により暫定的に設定するステップである。例えば、制御部１７は、学習機能を搭載しており、この学習機能により過去に各時間帯で使用した湯量から、湯切れしない条件で且つなるべく低い温度になるように各時間帯ごとの沸き上げ温度を暫定的に設定する。以下の説明において、第１のステップで設定した暫定的な沸き上げ温度を「暫定沸き上げ温度」という。換言すれば、各時間帯の暫定沸き上げ温度は、各時間帯においてタンク１４から給湯すべき湯の温度（所望温度）である。
【００３７】
第２のステップとは、第１のステップで設定された各時間帯の暫定沸き上げ温度を用いて、各時間帯の沸き上げ運転の沸き上げ温度を確定するステップである。以下の説明において、実際に沸き上げ運転を実行するときの沸き上げ温度を「制御沸き上げ温度」という。
【００３８】
第２のステップでは、制御部１７は、所定期間における任意の時間帯の制御沸き上げ温度を、その任意の時間帯の次の時間帯における暫定沸き上げ温度に応じた値に設定する。この任意の時間帯とは、所定期間における複数の時間帯の各時間帯であってもよいし、複数の時間帯の特定の時間帯であってもよい。
例えば、制御部１７は、所定の期間における任意の時間帯の制御沸き上げ温度を、その時間帯の次の時間帯における暫定沸き上げ温度と同じ値に設定する。換言すれば、第２のステップでは、制御部１７は、第１のステップで設定された所定の期間における任意の時間帯の沸き上げ温度を、その時間帯の次の時間帯における沸き上げ温度に変更する。
【００３９】
このように、制御部１７は、所定期間における複数の時間帯のそれぞれに沸き上げ温度を設定する。そして、制御部１７は、所定期間における任意の時間帯において、タンク１４内の湯水が当該時間帯の次の時間帯における沸き上げ温度に応じた値になるように沸き上げ運転を行う。より具体的には、制御部１７は、第１のステップにおいて、所定期間における複数の時間帯のそれぞれに沸き上げ温度（暫定沸き上げ温度）を設定する。そして、制御部１７は、所定期間における任意の時間帯において、タンク１４内の湯水が当該時間帯の次の時間帯における暫定沸き上げ温度に応じた値になるように、その値を任意の時間帯の制御沸き上げ温度に設定して沸き上げ運転を行う。
【００４０】
以下に、第２のステップの制御沸き上げ温度の設定方法について、図２を用いて具体的に説明する。
例えば、図２に示すように、第１のステップにおいて、時刻ｔ０から時刻ｔ１の間の時間帯Ｐ１では暫定沸き上げ温度Ｔ１、時刻ｔ１から時刻ｔ２の間の時間帯Ｐ２では暫定沸き上げ温度Ｔ２、時刻ｔ２から時刻ｔ３の間の時間帯Ｐ３では暫定沸き上げ温度Ｔ３が学習機能により設定されたとする。この場合には、制御部１７は、時間帯Ｐ１の制御沸き上げ温度を、次の時間帯Ｐ２の暫定沸き上げ温度Ｔ２とし、時間帯Ｐ２の制御沸き上げ温度を次の時間帯Ｐ３の暫定沸き上げ温度Ｔ３とする。
【００４１】
このように、制御部１７は、時刻ｔｎ−１から時刻ｔｎの間の時間帯Ｐｎ（ｎが１以上）の制御沸き上げ温度を、次の時間帯Ｐｎ＋１の暫定沸き上げ温度Ｔｎ＋１とする。
制御部１７は、出湯運転中（所定期間）の任意の時間帯の沸き上げ温度（制御沸き上げ温度）を、その任意の時間帯の次の時間帯における沸き上げ温度（暫定沸き上げ温度）に設定し、当該時間帯にて沸き上げ運転を実行する。
【００４２】
以下に、本発明の一実施形態に係る沸き上げ温度の設定方法における作用効果について、図３〜５を用いて説明する。
【００４３】
例えば、第１のステップにおいて、時刻１４：００から時刻１５：００の時間帯にて暫定沸き上げ温度が６０℃、時刻１５：００から時刻１６：００の時間帯にて暫定沸き上げ温度が５０℃に設定されたとする。
この場合において、従来の貯湯式温水器では、第２のステップを有していないため、この第１のステップにおいて設定された暫定沸き上げ温度を制御沸き上げ温度として沸き上げ運転を実行することになる。
【００４４】
したがって、図３（ａ）に示すように、従来の貯湯式温水器は、時刻１４：００から時刻１５：００の時間帯において常にタンク１４の湯が６０℃になるように制御することになる。ここで、次の時間帯、すなわち時刻１５：００から時刻１６：００の時間帯では制御沸き上げ温度が６０℃よりも低い５０℃に設定されている。したがって、時刻１５：００までタンク１４の湯を常に６０℃に制御していたのにもかかわらず、時刻１５：００以降ではタンク１４の湯を即座に５０℃に下げる必要があり、時刻１４：００から時刻１５：００までに沸き上げた分のエネルギーが無駄になる。
【００４５】
一方、本実施形態に係る貯湯式温水器Ａは、第２のステップにおいて、任意の時間帯の制御沸き上げ温度を、当該時間帯の次の時間帯での沸き上げ温度に設定して沸き上げ運転を行う。例えば、貯湯式温水器Ａは、図３（ｂ）に示すように、時刻１４：００から時刻１５：００の時間帯において制御沸き上げ温度を５０℃に設定して沸き上げ運転を実行する。
【００４６】
ここで、時刻１４：００から時刻１５：００の時間帯において、時刻１４：００までにタンク１４内で沸き上げられた６０℃の湯が断続的に出湯され、その出湯した量の新たな水がタンク１４内に流入すると、タンク１４内には、６０℃の湯の領域と水の領域とが混在することになる。そして、この水の領域は、時刻１４：００から時刻１５：００の時間帯の沸き上げ運転によって５０℃に制御されることになる。したがって、図４（ａ）に示すように、タンク１４内には、６０℃の湯の領域と５０℃の湯の領域との境界層が発生する。したがって、時刻１４：００から時刻１５：００の時間帯において、タンク１４内の湯が断続的に出湯されると、その境界層が上昇する。そして、時刻１５：００には境界層がなくなり、図４（ｂ）に示すように、タンク１４内には全体的に５０℃の湯が貯留されていることになる。これにより、貯湯式温水器Ａは、時刻１５：００以降ではタンク１４の湯を即座に５０℃に下げる必要がなく、時刻１４：００から時刻１５：００までに沸き上げた分のエネルギーが無駄になることがない。
【００４７】
この上記実施形態による効果は、出湯運転を行う時間帯のうち、最後の時間帯においてより顕著になる。例えば、図５に示すように、時刻２２：００から時刻２３：００までの時間帯が出湯運転を行う最後の時間帯であり、暫定沸き上げ温度が６０℃に設定されているとする。なお、時刻２３：００以降の時間帯では、凍結防止のため、６０℃よりも十分低い温度で沸き上げ温度（凍結防止温度）が設定されている。
【００４８】
この場合においても、従来の貯湯式温水器は、時刻２２：００から時刻２３：００の時間帯において常にタンク１４内の湯を６０℃に制御するため、時刻２３：００以降ではタンク１４内の湯を放熱させる必要があり、エネルギーが無駄になる（図５（ａ））。
一方、本実施形態に係る貯湯式温水器Ａは、時刻２２：００から時刻２３：００の時間帯において、制御沸き上げ温度を凍結防止温度に設定して沸き上げ運転を実行する。これにより、時刻２３：００には、タンク１４内の湯がほぼ凍結防止温度に制御されている状態となる（図５（ｂ））。したがって、時刻２３：００以降ではタンク１４内の湯を放熱させる必要がなく、エネルギーの無駄を抑制することができる。
【００４９】
以上、この発明の実施形態について図面を参照して詳述してきたが、具体的な構成はこの実施形態に限られるものではなく、この発明の要旨を逸脱しない範囲の設計等も含まれる。
【００５０】
（変形例１）上記実施形態では、制御部１７は、出湯運転中において、任意の時間帯の沸き上げ温度（制御沸き上げ温度）を、その時間帯の次の時間帯の沸き上げ温度（暫定沸き上げ温度）として沸き上げ運転を実行したが、本発明はこれに限定されない。例えば、制御部１７は、任意の時間帯の制御沸き上げ温度を、その時間帯の暫定沸き上げ温度から次の時間帯の暫定沸き上げ温度までの間の温度のいずれかに設定してもよい。例えば、時間帯Ｐ１の暫定沸き上げ温度が６０℃、時間帯Ｐ２の暫定沸き上げ温度が５０℃であった場合には、制御部１７は時間帯Ｐ１の制御沸き上げ温度を、６０℃から５０℃までの間の温度に設定してもよい。これにより、制御部１７は、従来よりもエネルギーの無駄を抑制することができる。
【００５１】
（変形例２）上記実施形態では、所定期間を複数の時間帯で区分したときの各時間帯を任意の時間帯としたが、本発明はこれに限定されない。例えば、制御部１７は、所定期間を複数の時間帯で区分したときの各時間帯のうち、暫定沸き上げ温度が次の時間帯の暫定沸き上げ温度よりも高い時間帯を任意の時間帯としてもよい。例えば、時間帯Ｐ１の暫定沸き上げ温度が６０℃、時間帯Ｐ２の暫定沸き上げ温度が５０℃であった場合には、制御部１７は時間帯Ｐ１の制御沸き上げ温度を５０℃までの間の温度に設定する。なお、時間帯Ｐ１の暫定沸き上げ温度が６０℃、時間帯Ｐ２の暫定沸き上げ温度が７０℃であった場合には、制御部１７は時間帯Ｐ１の制御沸き上げ温度を、時間帯Ｐ１の暫定沸き上げ温度（６０℃）に設定する。すなわち、第２のステップにおいて、制御部１７は、上記任意の時間帯に該当しない時間帯の制御沸き上げ温度を、第１のステップで設定した当該時間帯の暫定沸き上げ温度に設定する。
【００５２】
（変形例３）上記実施形態では、第１のステップにおいて、各時間帯ごとの沸き上げ温度が学習機能により設定されるが、本発明はこれに限定されない。例えば、第１のステップにおいて、各時間帯ごとの沸き上げ温度は、ユーザの操作部による入力操作によって設定されてもよい。この操作部は、貯湯式温水器Ａに設けられていてもよいし、携帯端末やリモコン等であってもよい。
【００５３】
（変形例４）上記実施形態では、制御部１７は、任意の時間帯の間、常にその時間帯の先の時間帯の暫定沸き上げ温度で沸き上げ運転を実行したが、本発明はこれに限定されない。例えば、制御部１７は、任意の時間帯において、タンク１４内の湯水を任意の時間帯の暫定沸き上げ温度で一旦沸き上げてから当該時間帯の次の時間帯における暫定沸き上げ温度に保つように沸き上げ運転を実行してもよい。すなわち、制御部１７は、任意の時間帯において、当該時間帯の暫定沸き上げ温度を制御沸き上げ温度として一旦沸き上げてから当該時間帯の次の時間帯における暫定沸き上げ温度を制御沸き上げ温度として沸き上げてもよい。
【００５４】
（変形例５）上記実施形態において、貯湯式温水器Ａは、例えば、予め設定された時間帯においてタンク１４内の湯水をヒータ１５により高温で加熱することで加熱消毒してもよい。これにより、貯湯式温水器Ａは、タンク１４内の湯水が長時間使用されていない場合には、タンク１４内の湯水を殺菌してタンク１４内を衛生的に保つことができる。なお、上記予め設定された時間帯とは、ユーザによりタンク１４内の湯水が使用される頻度が低い時間帯が望ましく、例えば、朝の時間帯である。
より具体的には、例えば、制御部１７は、ユーザによる使用が想定されるタイミングにて加熱消毒された湯を給湯し得るように事前に加熱消毒を開始してもよい。このユーザによる使用が想定されるタイミングは、制御部１７における学習機能により予め設定されてもよい。なお、加熱消毒を開始するタイミングは、例えば、ユーザによりタンク１４内の湯水が使用されないと推定される時間帯である。この時間帯は、制御部１７における学習機能により予め設定されてもよい。ただし、この時間帯は、あくまでもユーザによりタンク１４内の湯水が使用されないと推定される時間帯であって、実際にユーザが使用されない時間帯である必要はない。
【００５５】
更に、変形例５において、制御部１７は、事前に加熱消毒を開始するにあたり、特定条件が成立することに応じて加熱消毒を開始してもよい。この特定条件とは、例えば、タンク１４内の湯水が使用されないと推定される時間帯が長時間であることである。
例えば、制御部１７は、タンク１４内の湯水が使用されないと推定される時間帯が長時間である場合に限り、ユーザによる使用が想定されるタイミングにて加熱消毒された湯を給湯し得るように事前に加熱消毒を開始してもよい。タンク１４内の湯水が使用されないと推定される時間帯が長時間である場合とは、タンク１４内の湯水が使用されないと推定される時間帯においてタンク１４内の湯水を使用するのに衛生上好ましくない時間が経過すると推定される場合である。具体的には、制御部１７は、タンク１４内の湯水が使用されないと推定される時間帯の時間が所定の時間を超える場合には、その時間帯が長時間使用しない時間帯と判定する。
ここで、加熱消毒を開始するタイミングは、ユーザによる使用が想定されるタイミングの直前であることが望ましい。更に、加熱消毒が終了するタイミングは、ユーザによる使用が想定されるタイミングの直前、又はユーザによる使用が想定されるタイミングの直後であることが望ましい。したがって、加熱消毒が終了するタイミングとユーザによる使用が想定されるタイミングとの差が所定の範囲内に収まるように加熱消毒を開始するタイミングが設定される。
なお、制御部１７は、タンク１４内の湯水を長時間使用しない時間帯の後、再びタンク１４内の湯水を使用する時間帯になったら、タンク１４内の湯水をヒータ１５により高温で加熱することで加熱消毒してもよい。
【００５６】
（変形例６）
上記実施形態において、貯湯式温水器Ａは、タンク１４内の湯水（自動水栓１００から吐水される湯水）をあと何人使用可能であるかを報知してもよい。この報知とは、音声でもよいし、表示でもよいし、音声及び表示の組み合わせでもよい。この表示とは、例えば、貯湯式温水器Ａに搭載された表示装置（不図示）による表示である。例えば、制御部１７は、出湯運転を行う最後の時間帯（図５の時刻２２：００から時刻２３：００までの時間帯）において、あと何人使用であるかを報知する。ここで、使用とは、例えば、手洗いである。
ただし、報知する内容は、タンク１４内の湯水を使用できるユーザの人数に限定されない。すなわち、報知する内容は、ユーザが使用できるタンク１４内の湯水の量に関する情報を数値化あるいはアイコン化した情報であってもよい。
【００５７】
（変形例７）上記実施形態では、貯湯式温水器Ａが元止め式である場合について説明したが、本発明はこれに限定されない。例えば、貯湯式温水器Ａは、先止め式であってもよい。
【００５８】
上述したように、貯湯式温水器Ａは、所定期間における複数の時間帯のそれぞれに沸き上げ温度を設定する制御部１７を備える。そして、この制御部１７は、その所定期間における任意の時間帯において、タンク１４内の湯水が当該時間帯の次の時間帯における沸き上げ温度に応じた値になるように沸き上げ運転を行う。これにより、貯湯式温水器Ａは、現在の時間帯で沸き上げた分のエネルギーが次の時間帯において無駄になることを抑制することができる。
【００５９】
また、貯湯式温水器Ａの制御部１７は、上記所定期間における任意の時間帯において、タンク１４内の湯水が当該時間帯の次の時間帯における沸き上げ温度になるように沸き上げ運転を実行する。これにより、貯湯式温水器Ａは、現在の時間帯で沸き上げた分のエネルギーが次の時間帯において無駄になることをより抑制することができる。
【００６０】
また、貯湯式温水器Ａは、任意の時間帯を所定期間の複数の時間帯のうち、沸き上げ温度が次の時間帯の沸き上げ温度よりも高い時間帯とする。これにより、貯湯式温水器Ａは、現在の時間帯よりも次の時間帯における沸き上げ温度が高い場合には、現在の時間帯の沸き上げ温度を第１のステップで設定された沸き上げ温度として沸き上げ運転を実行することで、エネルギーの無駄を抑制することができる。
【符号の説明】
【００６１】
Ａ  貯湯式温水器
１  給水管
２  第１バイパス管
３  給湯管
４  混合弁
５  第２バイパス管
６  フィルタ
７  逆止弁
８  第１温度検出部
９  第１電磁弁
１０  第２電磁弁
１１  第２温度検出部
１２  遮断弁
１３  水抜き栓
１４  タンク
１５  ヒータ
１６  第３温度検出部
１７  制御部
【図１】
2019015417.tif 000003
【図２】
2019015417.tif 000004
【図３】
2019015417.tif 000005
【図４】
2019015417.tif 000006
【図５】
2019015417.tif 000007